(57)【特許請求の範囲】
【請求項１】
テレビカメラを搭載する雲台と、該雲台、レンズ及び前記テレビカメラを遠隔操作する雲台操作器とを有するリモコン雲台において、前記雲台操作器には遠隔操作を行うための複数個のテレビカメラ操作用部材と、該テレビカメラ操作用部材に近接して配置した複数個の文字表示装置部材とを備え、前記雲台操作器と前記雲台とを通信回線を介して接続した際に、前記雲台は前記テレビカメラ操作用部材に対応する複数の機能指定情報を前記雲台操作器に対して送信し、前記雲台操作器に設けた選択部材により前記テレビカメラ操作用部材の制御機能や前記文字表示装置部材に対する表示を変更し、前記雲台操作器は前記機能指定情報に従って前記テレビカメラ操作用部材の制御機能を決定すると共に、前記文字表示装置部材は対応する前記テレビカメラ操作用部材の制御機能と前記テレビカメラの現在の設定状態とを表示するようにしたことを特徴とするリモコン雲台。
【発明の詳細な説明】
【０００１】
【産業上の利用分野】
本発明は、主に放送局や火山の災害監視用として用いられるテレビカメラを搭載したリモコン雲台に関するものである。
【０００２】
【従来の技術】
テレビカメラを搭載したリモコン雲台は、ビルの屋上等に設置して放送に利用したり、火山活動を監視する目的で使用されている。
【０００３】
この場合の操作方法は、１台の雲台操作器で複数個のリモコン雲台の１個と通信回線により接続して使用するが、リモコン雲台に搭載されるテレビカメラは、機種の相違等により操作機能や機能項目が異なる場合が多い。また、最近ではテレビカメラのデジタル化が進み、テレビカメラの操作方法や調整機能が大幅に異なってきている。
【０００４】
このように、操作機能や操作項目が異なる複数のリモコン雲台を１台の雲台操作器で運用する場合には、従来はテレビカメラの操作機能や操作項目に対応して雲台から雲台操作器に識別信号を送信し、この識別信号により雲台操作器の有効な部分のみを動作可能にすることで対応している。
【０００５】
しかし、テレビカメラの操作機能や操作項目が多くなると、その増加に対応して新規にテレビカメラ操作部材を多く配置した雲台操作器を製作したり、従来の雲台操作器を改修してテレビカメラ操作部材を追加したり、更にはラベル等により新機能の文字表示の追加等を行うことにより対応している。
【０００６】
【発明が解決しようとする課題】
しかしながら上述の従来例では、デジタル化されたテレビカメラを搭載した雲台と、従来のテレビカメラを搭載した雲台とを１個の雲台操作器で操作する場合に、テレビカメラ操作部材の数を増加させて、テレビカメラの操作方法や操作機能の相違に対しては有効な操作部材の部分だけ動作可能とすることで対応している。しかし、この方法では雲台操作器の形状が大きくなり、またデジタル化されたテレビカメラと従来のテレビカメラとで、操作可能な部材と操作不可能な部材が混在するため、操作が極めて行い難く、操作不能の操作部材を故障と誤判断する場合もある。
【０００７】
本発明の目的は、上述の問題点を解消し、複数のリモコン雲台に搭載するテレビカメラの操作機能や機能項目が異なっていても、雲台操作器は無変更で対応し、かつ小型で操作の容易な雲台操作器を提供することにある。
【０００８】
【課題を解決するための手段】
上記目的を達成するための本発明に係るリモコン雲台は、テレビカメラを搭載する雲台と、該雲台、レンズ及び前記テレビカメラを遠隔操作する雲台操作器とを有するリモコン雲台において、前記雲台操作器には遠隔操作を行うための複数個のテレビカメラ操作用部材と、該テレビカメラ操作用部材に近接して配置した複数個の文字表示装置部材とを備え、前記雲台操作器と前記雲台とを通信回線を介して接続した際に、前記雲台は前記テレビカメラ操作用部材に対応する複数の機能指定情報を前記雲台操作器に対して送信し、前記雲台操作器に設けた選択部材により前記テレビカメラ操作用部材の制御機能や前記文字表示装置部材に対する表示を変更し、前記雲台操作器は前記機能指定情報に従って前記テレビカメラ操作用部材の制御機能を決定すると共に、前記文字表示装置部材は対応する前記テレビカメラ操作用部材の制御機能と前記テレビカメラの現在の設定状態とを表示するようにしたことを特徴とする。
【０００９】
【作用】
上述の構成を有するリモコン雲台は、雲台操作器と雲台とを通信回線を介して接続した際に、雲台はテレビカメラ操作用部材に対応する機能指定情報を雲台操作器に対して送信し、雲台操作器は機能指定情報に従ってテレビカメラ操作用部材の制御機能を決定すると共に、文字表示装置部材は対応するテレビカメラ操作用部材の制御機能とテレビカメラの現在の設定状態とを表示する。
【００１０】
【実施例】
本発明を図示の実施例に基づいて詳細に説明する。
図１は第１の実施例の雲台操作器のテレビカメラ操作部の配置図であり、テレビカメラ操作部１上には６個のスイッチ２〜７と、例えば可変抵抗器を動かす２個のダイアル８、９と、１５個の表示器１０〜２４が配置されている。スイッチ２は雲台操作器の状態を「ＭＥＮＵ１」、「ＭＥＮＵ２」に切換えるためのものであり、スイッチ２が押されると、表示器１０には「ＭＥＮＵ１」、「ＭＥＮＵ２」が交互に表示されるようになっている。
【００１１】
また、図２はリモコン雲台のテレビカメラに関する操作機能、機能項目、及び現在の設定状態を示す一覧図であり、リモコン雲台と雲台操作器間の情報伝送用の通信コードも同時に示している。
【００１２】
スイッチ２を押して表示器１０に「ＭＥＮＵ１」と表示させると、雲台操作器はリモコン雲台に通信コード「ＭＥ１」を送信する。リモコン雲台はこの通信コード「ＭＥ１」を解釈して、雲台操作器に図２のＮｏ．１〜７の操作機能、機能項目、及び現在の設定状態を通信コードで送信する。
【００１３】
雲台操作器はこの通信コードを受信し、図１に示すように表示器１１〜１５、２１、２３には、リモコン雲台から送信された図２のＮｏ．１〜７の操作機能名である「Ａ／Ｗ」、「ＣＡＭ／ＢＡＲ」、「ＧＡＩＮ」、「ＮＤ」、「ＣＣ」をそれぞれ文字表示し、表示器１６〜２０、２２、２４には、表示器１１〜１５、２１、２３に対応する現在の設定状態をそれぞれ文字表示する。例えば、図１の状態では、現在の設定状態は「Ａ／Ｗ」がＯＦＦ状態、「ＣＡＭ／ＢＡＲ」がＣＡＭ、「ＧＡＩＮ」が６ｄＢ、「ＮＤ」が１６、「ＣＣ」が３２００、「ＩＲＩＳ」がＦ５．６、「Ｍ−ＰＥＤ」が５０であることを示している。
【００１４】
ここで、例えばテレビカメラの操作機能「ＧＡＩＮ」の設定状態を、６ｄＢから０ｄＢに変更する場合には、先ずテレビカメラ操作部１の表示器１３、１８に表示されているように、テレビカメラの「ＧＡＩＮ」の現在の設定状態は６ｄＢである。また、図２のＮｏ．３に示すように、操作機能「ＧＡＩＮ」の機能項目は０ｄＢ、６ｄＢ、１２ｄＢ、１８ｄＢの４種類があり、これらの中から０ｄＢを選択する場合には、図１のスイッチ５を数回押すと、表示器１８はその機能項目を順次に表示するので、表示器１８の表示が０ｄＢとなるまで押せばよい。
【００１５】
次に、表示器１８が０ｄＢと表示すると、雲台操作器からリモコン雲台に対して、操作機能「ＧＡＩＮ」を０ｄＢに設定することに対応する通信コード「ＧＡ−０」が送信され、リモコン雲台のテレビカメラの「ＧＡＩＮ」は０ｄＢに設定される。他の操作機能「Ａ／Ｗ」、「ＣＡＭ／ＢＡＲ」、「ＮＤ」、「ＣＣ」についても、これと同様に設定を変更することができる。
【００１６】
従って、テレビカメラの操作機能「ＩＲＩＳ」を変更する場合には、現在の設定状態は図１の表示器２２で表示されているようにＦ５．６である。一方、図２のＮｏ．６に示すように、「ＩＲＩＳ」はＣＬＯＳＥからＯＰＥＮというアナログ量である。「ＩＲＩＳ」の変更に際しては、図１のダイアル８を回転させ、表示器２２に表示される「ＩＲＩＳ」の設定状態がＦ１１となるように変更すればよい。表示器２２の表示がＦ１１になると、雲台操作器からリモコン雲台に対してＦ１１に対応する通信コード「ＩＳ−４０」が送信され、リモコン雲台のテレビカメラの「ＩＲＩＳ」はＦ１１に設定される。操作機能「Ｍ−ＰＥＤ」についても、設定状態の変更は「ＩＲＩＳ」の場合と同様である。
【００１７】
なお、「ＭＥＮＵ１」の状態では、表示器１１〜１５、２１、２３には、リモコン雲台のテレビカメラを操作する際に常時使用する操作機能が表示されている。
【００１８】
「ＭＥＮＵ１」の状態からスイッチ２を１回押すと、テレビカメラ操作部１の状態は図３に示すように「ＭＥＮＵ１」から「ＭＥＮＵ２」に切換わり、表示器１０には「ＭＥＮＵ２」と表示され、更に雲台操作器からリモコン雲台に通信コード「ＭＥ２」が伝送される。次に、リモコン雲台は通信コード「ＭＥ２」を解釈して、図２のＮｏ．８〜１１の操作機能、機能項目、現在の設定状態を通信コードで雲台操作器に送信する。雲台操作器はこの通信コードを受信し、図３に示すように表示器１１〜１５、２１、２３には、リモコン雲台から送信された操作機能名である「Ａ／Ｂ」、「ＳＨＵＴＴＥＲ」、「ＤＴＬ」、「ＳＴＲＡＧＥ」、「ＧＡＭＭＡ」、「Ｒ−ＧＡＩＮ」、「Ｂ−ＧＡＩＮ」をそれぞれ文字表示し、表示器１６〜２０、２２、２４には、表示器１１〜１５、２１、２３の操作機能に対応する現在の設定状態をそれぞれ文字表示する。
【００１９】
なお、この「ＭＥＮＵ２」の状態では、常時ではなく必要時のみに操作する操作機能が表示されている。この「ＭＥＮＵ２」においても、「ＭＥＮＵ１」の場合と同様に各操作機能の操作を行うことができる。
【００２０】
表示器１０〜２４のように変更可能な文字表示部材を用い、通常使用する操作機能を図１に示すように「ＭＥＮＵ１」に配し、必要時のみに使用する操作機能を図３に示すように「ＭＥＮＵ２」に配し、テレビカメラの機種による操作機能の相違がある場合にも、相違のある操作機能を「ＭＥＮＵ２」から操作するように構成すれば、テレビカメラ操作部１に多種多様なテレビカメラ操作部材を用意せずに、操作性の良好な小型の雲台操作器を製作することができる。
【００２１】
なお、リモコン雲台のテレビカメラの操作機能が「ＭＥＮＵ２」まででは不足する場合には、スイッチ２を更に押すことにより、「ＭＥＮＵ３」、「ＭＥＮＵ４」、・・・と順次に切換わるようにすればよい。また、表示器１０〜２４としてはＬＣＤ（液晶）、ＬＥＤ（発光ダイオード）、ＰＤＰ（プラズマディスプレイ）、ＥＬ（エレクトロルミネッセンス）等の文字表示部材を用いることができる。更に、テレビカメラ操作部材の可変抵抗器を動かすダイアル８、９の代りにエンコーダやロータリスイッチを用いてもよい。
【００２２】
図４は第２の実施例の配置図であり、図１と同一の符号は同一の部材を示している。スイッチ２を押すことにより、表示器１０の表示は「ＭＯＤＥ１」と「ＭＯＤＥ２」に順次に切換えられるようにされており、「ＭＯＤＥ１」の状態では第１の実施例における「ＭＥＮＵ１」と同様に、常時使用される操作機能が表示され、その操作方法も第１の実施例と同様である。
【００２３】
スイッチ２を押して、表示器１０に「ＭＯＤＥ２」と表示させると、雲台操作器はリモコン雲台と通信を行い、「ＭＯＤＥ２」で設定可能な操作機能、機能項目、現在の設定状態を受信した後に、テレビカメラ操作部１は図４に示すように「ＭＯＤＥ２」の状態となる。なお、「ＭＯＤＥ２」は第１の実施例における「ＭＥＮＵ２」と同様に、常時でなく必要時に操作機能を操作する状態とされている。
【００２４】
スイッチ２が押され、表示器１０の表示が「ＭＯＤＥ２」に切換えられると、テレビカメラの映像を映出する図示しないテレビモニタの画面上には、設定可能なテレビカメラの操作機能、機能項目、現在の設定状態が表示され、表示器１６〜１８には図５に示すように「ＦＵＮＣ」、「ＳＥＬＥＣＴ」、「ＳＴＯＲＥ」とそれぞれ表示される。
【００２５】
テレビカメラの操作機能「ＳＨＵＴＴＥＲ」の設定を行う場合には、操作者がスイッチ３を押すと、テレビモニタ上にはテレビカメラの操作機能の１種類が順次に選択され、操作者は「ＳＨＵＴＴＥＲ」が選択されるまでスイッチ３を数回押す。次に、図２のＮＯ．９に示すように「ＳＨＵＴＴＥＲ」の機能項目は無し、５０、５００、１０００の４種類があるので、スイッチ４を押すと、テレビモニタに表示される現在の設定状態が順次に変化し、例えば５００に設定する場合には、操作者は「ＳＨＵＴＴＥＲ」の現在の設定状態が５００となるまで、数回スイッチを押せばよい。更に、操作者がスイッチ５を押すと、雲台操作器からリモコン雲台に対して、「ＳＨＵＴＴＥＲ」を５００に設定することに対応する通信コード「ＳＨ−２」が送信され、リモコン雲台はこの通信コードを受信してテレビカメラの「ＳＨＵＴＴＥＲ」を５００に設定する。
【００２６】
図６は第３の実施例の配置図であり、スイッチ２を押すことで、表示器１０の表示は「ＭＯＤＥＡ」と「ＭＯＤＥＢ」に順次に切換えられるようになっている。「ＭＯＤＥＡ」の状態では、第１の実施例の「ＭＥＮＵ１」と同様に常時使用される操作機能が表示され、その操作方法も第１の実施例と同様である。
【００２７】
操作者がスイッチ２を押して、図７に示すように表示器１０の表示が「ＭＯＤＥＢ」に切換えられると、雲台操作器はリモコン雲台と通信を行い、「ＭＯＤＥＢ」で設定可能な操作機能を、機能項目、現在の設定状態を受信した後に、表示器１１〜１３には「ＦＵＮＣ」、「ＳＥＬＥＣＴ」、「ＳＴＯＲＥ」の文字がそれぞれ表示される。また、表示器１６には選択されているテレビカメラの操作機能が表示され、表示器１７には、表示器１６で選択された操作機能に対応する現在の機能項目が表示される。
【００２８】
例えば、操作機能「ＳＨＵＴＴＥＲ」を５００に設定する場合には、第２の実施例と同様にスイッチ３を押すと、表示器１６には設定可能なテレビカメラの操作機能が順次に選択され、操作者は表示器１６の表示が「ＳＨＵＴＴＥＲ」となるまで数回スイッチ３を押せばよい。これにより、表示器１７には「ＳＨＵＴＴＥＲ」の現在の機能項目が表示される。
【００２９】
次に、操作者がスイッチ４を押すと、第２の実施例と同様に表示器１７の表示は設定可能な機能項目に順次に切換わり、操作者は表示器１７の表示が５００になるように設定する。最後に、操作者はスイッチ５を押すと、表示器１８には「ＷＲＩＴＥ」と表示され、雲台操作器は第２の実施例と同様に対応する通信コードをリモコン雲台に出力し、リモコン雲台はこの通信コードを受信して設定を変更する。
【００３０】
【発明の効果】
以上説明したように本発明に係るリモコン雲台は、雲台操作器のテレビカメラ操作用部材に近接して、文字を表示する文字表示装置部材を設けたことで、雲台に搭載されるテレビカメラを遠隔操作する操作機能の増加や、テレビカメラの機種による制御機能、機能項目の相違に対しても、小型で操作し易く、可搬性に富む雲台操作器を得ることができ、従来の表示及び操作を無効にする雲台操作器と比較して、非常に使い易いという利点がある。
【図面の簡単な説明】
【図１】第１の実施例の表示器を「ＭＥＮＵ１」とした状態の説明図である。
【図２】ＭＥＮＵと操作機能等との関係の一覧図である。
【図３】第１の実施例の表示器を「ＭＥＮＵ２」とした状態の説明図である。
【図４】第２の実施例の表示器を「ＭＯＤＥ１」とした状態の説明図である。
【図５】第２の実施例の表示器を「ＭＯＤＥ２」とした状態の説明図である。
【図６】第３の実施例の表示器を「ＭＯＤＥＡ」とした状態の説明図である。
【図７】第３の実施例の表示器を「ＭＯＤＥＢ」とした状態の説明図である。
【符号の説明】
１  テレビカメラ操作部
２〜７  スイッチ
８、９  ダイアル
１０〜２４  表示器
【図１】
0003610103.tif 000002
【図２】
0003610103.tif 000003
【図３】
0003610103.tif 000004
【図４】
0003610103.tif 000005
【図５】
0003610103.tif 000006
【図６】
0003610103.tif 000007
【図７】
0003610103.tif 000008